(57)【要約】【課題】　ストレッチラベルを容器の所定位置に簡易にセットできるラベル装着治具を提供する。【解決手段】　容器外面にストレッチラベルを装着する際に用いられる治具であって、少なくとも下記Ａ部材、Ｂ部材、Ｃ部材からなることを特徴とするストレッチラベル装着治具。（Ａ部材）筒状ストレッチラベルをラベル内部より密着保持する機能を有するとともに、容器を通過せしめることが可能なアダプター（Ｂ部材）前記Ａ部材下端の外周と接する内周面を有するとともに、容器を通過せしめることが可能なアダプター固定部材（Ｃ部材）前記Ｂ部材の下端の内面と接する外周面を有し、該外周面と前記Ｂ部材の内周面との間で前記Ａ部材の下端を挟持固定するとともに、該外周面に対する内周面が容器を通過せしめることが可能なアダプター保持部材【選択図】　　　図１
2004091051.tif 000002
【特許請求の範囲】
【請求項１】
　容器外面にストレッチラベルを装着する際に用いられる治具であって、少なくとも下記Ａ部材、Ｂ部材、Ｃ部材からなることを特徴とするストレッチラベル装着治具。
（Ａ部材）筒状ストレッチラベルをラベル内部より密着保持する機能を有するとともに、容器を通過せしめることが可能なアダプター
（Ｂ部材）前記Ａ部材下端の外周と接する内周面を有するとともに、容器を通過せしめることが可能なアダプター固定部材
（Ｃ部材）前記Ｂ部材の下端の内面と接する外周面を有し、該外周面と前記Ｂ部材の内周面との間で前記Ａ部材の下端を挟持固定するとともに、該外周面に対する内周面が容器を通過せしめることが可能なアダプター保持部材
【請求項２】
　Ａ部材がＢ部材とＣ部材の嵌め合いで固定されることを特徴とする請求項１記載のストレッチラベル装着治具。
【請求項３】
　Ａ部材がＢ部材とＣ部材の一点以上で固定されることを特徴とする請求項１記載のストレッチラベル装着治具。
【請求項４】
　Ｃ部材の内面がすりこぎ状を呈していることを特徴とする請求項１〜３のいずれかに記載のストレッチラベル装着治具。
【請求項５】
　Ａ部材をＢ部材とＣ部材で固定した治具において、Ａ部材の、Ｂ部材の上部にでている部分の高さが、装着しようとするラベルの高さよりも低いことを特徴とする請求項１〜４のいずれかに記載のストレッチラベル装着治具。
【請求項６】
　Ａ部材をＢ部材とＣ部材で固定した治具において、Ａ部材の、Ｂ部材の上方にでている部分が、少なくともＡ部材の上端においてＢ部材側から上方に向って狭まっていることを特徴とする請求項１〜５のいずれかに記載のストレッチラベル装着治具。
【請求項７】
　Ａ部材はその上端から下方にかけて切り込みがあることを特徴とする請求項１〜６のいずれかに記載のストレッチラベル装着治具。
【請求項８】
　前記切り込みが、Ａ部材の高さ方向と平行であることを特徴とする請求項７記載のストレッチラベル装着治具。
【請求項９】
　前記切り込みのカール方向が、治具の中心方向に向かっていることを特徴とする請求項７または８に記載のストレッチラベル装着治具。
【請求項１０】
　前記切り込みの先端が、Ａ部材をＢ部材とＣ部材とで固定した場合Ｂ部材内にまで達していることを特徴とする請求項７〜９のいずれかに記載のストレッチラベル装着治具。
【請求項１１】
　Ａ部材が伸縮ないし弾性を有することを特徴とする請求項１〜１０のいずれかに記載のストレッチラベル装着治具。
【請求項１２】
　Ａ部材がポリエチレンテレフタレート製で、厚さ１０〜２００μｍであることを特徴とする請求項１〜１１のいずれかに記載のストレッチラベル装着治具。
【請求項１３】
　Ｂ部材の弾性がＡ部材の弾性より大きいことを特徴とする請求項１〜１２のいずれかに記載のストレッチラベル装着治具。
【請求項１４】
　Ａ部材をＢ部材とＣ部材で固定した治具において、Ａ部材のＢ部材の上部にでている部分を除いた高さが、容器表面のラベル装着位置と同等の高さであることを特徴とする請求項１〜１３のいずれかに記載のストレッチラベル装着治具。
【請求項１５】
　Ａ部材の外面の滑性がラベル裏面の滑性よりも低いことを特徴とする請求項１〜１４のいずれかに記載のストレッチラベル装着治具。
【請求項１６】
　Ｃ部材の内面の滑性が容器表面の滑性よりも高いことを特徴とする請求項１〜１５のいずれかに記載のストレッチラベル装着治具。
【請求項１７】
　Ｃ部材の内面が凹凸を有することを特徴とする請求項１〜１６のいずれかに記載のストレッチラベル装着治具。
【請求項１８】
　Ｃ部材がポリアセタール、ナイロン、ポリエチレンから選ばれた部材からなることを特徴とする請求項１〜１７のいずれかに記載のストレッチラベル装着治具。
【請求項１９】
　Ａ部材をＢ部材とＣ部材で固定した治具において、この治具本体にカウンターをつけたことを特徴とする請求項１〜１８のいずれかに記載のストレッチラベル装着治具。
【請求項２０】
　請求項１〜１９のいずれかに記載の治具を用いて容器表面にストレッチラベルを装着する方法であって、ラベル装着時の該ラベルの伸縮が５％以内であることを特徴とするストレッチラベル装着方法。
【請求項２１】
　請求項１〜１９のいずれかに記載の治具にラベルを挿入し、容器表面にストレッチラベルを装着後、そのラベル装着位置にてラベルを押さえた後に治具のみをはずしてラベルを装着することを特徴とする請求項２０記載のストレッチラベル装着方法。
【請求項２２】
　請求項１〜１９のいずれかに記載の治具のＡ部材の外面に滑剤を付与した後、ラベルを装着することを特徴とする請求項２０または２１に記載のストレッチラベル装着方法。
【請求項２３】
　請求項１〜１９のいずれかに記載の治具のＣ部材の内面に滑剤を付与した後、ストレッチラベルを装着することを特徴とする請求項２０〜２２のいずれかに記載のストレッチラベル装着方法。
【請求項２４】
　ストレッチラベルの装着状態に合わせて、切込みを有するラベルを装着する請求項２０〜２３のいずれかに記載のストレッチラベル装着方法。
【発明の詳細な説明】
【技術分野】
【０００１】
　本発明は、トナー、薬品、化粧品、食料品等の粉体が充填される粉体容器の外面（表面）にラベルを装着するための治具、及びこの治具を用いるラベル装着方法に関する。
【背景技術】
【０００２】
　従来、粉体容器の１つの例であるトナー容器には熱収縮を利用したシュリンクでラベルが貼られていた。このラベルの貼着によって、トナー容器に充填されているトナーが、例えば、シアン、マゼンタ、イエロー、ブラックなどのいずれかであるかが外部からでも容易に識別することができる。
　そして、これらラベルの容器への貼着は、トナーを容器に充填する以前に行なっていたのでトナー本体への熱への影響は考える必要はなかった。
【０００３】
　しかし、最近ではトナーを容器に充填した状態その容器外面にラベルを貼る必要性がある場合が生じ、その場合はトナー本体へ熱がかかるシュリンク方式はトナーを変質させることから好ましくない。また熱をかけることに伴う大きな設備が必要であり、地球温暖化に影響を及ぼす二酸化炭素の発生を増やすことにもなる。そのため、近年では熱を必要とせずにラベルの弾性力のみで装着が可能なストレッチラベルが用いられるようになっている。このような傾向はトナー容器に限らず、その他の粉体容器においても同様に言えることである。
【０００４】
　例えば特公平７−６６２３５号公報（特許文献１）には、炭酸飲料等が充填されるＰＥＴ製ボトルなどの容器にストレッチラベルを装着する方法が開示されており、ここではストレッチラベルを筒状に形成し、このストレッチラベルの内面に滑り防止手段を設け、拡縮自在な拡開手段をストレッチラベル内に挿入した後に、該拡開手段でストレッチラベルの該滑り防止手段の部分を拡開し、ストレッチラベルを拡開させた状態で容器に外嵌する方法が採られている。
　しかし、このストレッチラベルの装着方法では拡開手段は必ずしも簡単なものとは言えず、また、ストレッチラベルの滑り防止手段が設けられた箇所は拡開手段で強制的に１０％程度引っ張られるため、ラベルの伸縮性が損なわれるといった不具合がある。
【０００５】
【特許文献１】特公平７−６６２３５号公報
【発明の開示】
【発明が解決しようとする課題】
【０００６】
　本発明は上記従来技術の問題点を改善し、ストレッチラベルを容器の所定の位置に簡易にかつ精度良くセットできるストレッチラベル装着治具、並びに装着方法を提供することを目的にする。
【課題を解決するための手段】
【０００７】
　本発明者らは、上記課題を達成するための検討を行なってきた結果、ストレッチラベルを内部より保持する機能を有するアダプター、該アダプターを固定する機能を有する部材、及び、該アダプターを保持する機能を有する部材の組み合わせからなるストレッチラベル装着治具（各部材はいずれも構成が簡単である）を用いれば、ストレッチラベルが容器に容易にかつ確実に装着できることを確かめた。本発明はこれに基づいてなされたものである。
　本発明によれば、下記（１）〜（２４）が提供される。
【０００８】
　（１）容器外面にストレッチラベルを装着する際に用いられる治具であって、少なくとも下記Ａ部材、Ｂ部材、Ｃ部材からなることを特徴とするストレッチラベル装着治具。
（Ａ部材）筒状ストレッチラベルをラベル内部より密着保持する機能を有するとともに、容器を通過せしめることが可能なアダプター
（Ｂ部材）前記Ａ部材下端の外周と接する内周面を有するとともに、容器を通過せしめることが可能なアダプター固定部材
（Ｃ部材）前記Ｂ部材の下端の内面と接する外周面を有し、該外周面と前記Ｂ部材の内周面との間で前記Ａ部材の下端を挟持固定するとともに、該外周面に対する内周面が容器を通過せしめることが可能なアダプター保持部材
【０００９】
　（２）Ａ部材がＢ部材とＣ部材の嵌め合いで固定されることを特徴とする上記（１）記載のストレッチラベル装着治具。
【００１０】
　（３）Ａ部材がＢ部材とＣ部材の一点以上で固定されることを特徴とする上記（１）記載のストレッチラベル装着治具。
【００１１】
　（４）Ｃ部材の内面がすりこぎ状を呈していることを特徴とする上記（１）〜（３）のいずれかに記載のストレッチラベル装着治具。
【００１２】
　（５）Ａ部材をＢ部材とＣ部材で固定した治具において、Ａ部材の、Ｂ部材の上部にでている部分の高さが、装着しようとするラベルの高さよりも低いことを特徴とする上記（１）〜（４）のいずれかに記載のストレッチラベル装着治具。
【００１３】
　（６）Ａ部材をＢ部材とＣ部材で固定した治具において、Ａ部材の、Ｂ部材の上方にでている部分が、少なくともＡ部材の上端においてＢ部材側から上方に向って狭まっていることを特徴とする上記（１）〜（５）のいずれかに記載のストレッチラベル装着治具。
【００１４】
　（７）Ａ部材はその上端から下方にかけて切り込みがあることを特徴とする上記（１）〜（６）のいずれかに記載のストレッチラベル装着治具。
【００１５】
　（８）前記切り込みが、Ａ部材の高さ方向と平行であることを特徴とする上記（７）記載のストレッチラベル装着治具。
【００１６】
　（９）前記切り込みのカール方向が、治具の中心方向に向かっていることを特徴とする上記（７）または（８）に記載のストレッチラベル装着治具。
【００１７】
　（１０）前記切り込みの先端が、Ａ部材をＢ部材とＣ部材とで固定した場合Ｂ部材内にまで達していることを特徴とする上記（７）〜（９）のいずれかに記載のストレッチラベル装着治具。
【００１８】
　（１１）Ａ部材が伸縮ないし弾性を有することを特徴とする上記（１）〜（１０）のいずれかに記載のストレッチラベル装着治具。
【００１９】
　（１２）Ａ部材がポリエチレンテレフタレート製で、厚さ１０〜２００μｍであることを特徴とする上記（１）〜（１１）のいずれかに記載のストレッチラベル装着治具。
【００２０】
　（１３）Ｂ部材の弾性がＡ部材の弾性より大きいことを特徴とする上記（１）〜（１２）のいずれかに記載のストレッチラベル装着治具。
【００２１】
　（１４）Ａ部材をＢ部材とＣ部材で固定した治具において、Ａ部材のＢ部材の上部にでている部分を除いた高さが、容器表面のラベル装着位置と同等の高さであることを特徴とする上記（１）〜（１３）のいずれかに記載のストレッチラベル装着治具。
【００２２】
　（１５）Ａ部材の外面の滑性がラベル裏面の滑性よりも低いことを特徴とする上記（１）〜（１４）のいずれかに記載のストレッチラベル装着治具。
【００２３】
　（１６）Ｃ部材の内面の滑性が容器表面の滑性よりも高いことを特徴とする上記（１）〜（１５）のいずれかに記載のストレッチラベル装着治具。
【００２４】
　（１７）Ｃ部材の内面が凹凸を有することを特徴とする上記（１）〜（１６）のいずれかに記載のストレッチラベル装着治具。
【００２５】
　（１８）Ｃ部材がポリアセタール、ナイロン、ポリエチレンから選ばれた部材からなることを特徴とする上記（１）〜（１７）のいずれかに記載のストレッチラベル装着治具。
【００２６】
　（１９）Ａ部材をＢ部材とＣ部材で固定した治具において、この治具本体にカウンターをつけたことを特徴とする上記（１）〜（１８）のいずれかに記載のストレッチラベル装着治具。
【００２７】
　（２０）上記（１）〜（１９）のいずれかに記載の治具を用いて容器表面にストレッチラベルを装着する方法であって、ラベル装着時の該ラベルの伸縮が５％以内であることを特徴とするストレッチラベル装着方法。
【００２８】
　（２１）上記（１）〜（１９）のいずれかに記載の治具にラベルを挿入し、容器表面にストレッチラベルを装着後、そのラベル装着位置にてラベルを押さえた後に治具のみをはずしてラベルを装着することを特徴とする上記（２０）に記載のストレッチラベル装着方法。
【００２９】
　（２２）上記（１）〜（１９）のいずれかに記載の治具のＡ部材の外面に滑剤を付与した後、ラベルを装着することを特徴とする上記（２０）または（２１）に記載のストレッチラベル装着方法。
【００３０】
　（２３）上記（１）〜（１９）のいずれかに記載の治具のＣ部材の内面に滑剤を付与した後、ストレッチラベルを装着することを特徴とする上記（２０）〜（２２）のいずれかに記載のストレッチラベル装着方法。
【００３１】
　（２４）ストレッチラベルの装着状態に合わせて、切込みを有するラベルを装着する上記（２０）〜（２３）のいずれかに記載のストレッチラベル装着方法。
【発明の効果】
【００３２】
　本発明によれば、簡単な装着装置を用いて容易にストレッチラベルの容器への装着が行える。
【発明を実施するための最良の形態】
【００３３】
　以下本発明をさらに詳細に説明する。
　上記のように、本発明のラベル装着治具は、図２に示されるＡ部材（ストレッチラベルを内部より保持する機能を有するアダプター）と、図３に示されるＢ部材（Ａ部材を固定する機能を有する部材）と、図４に示されるＣ部材（Ａ部材を保持する機能を有する部材）との組み合わせから構成される。図１はこれらＡ部材、Ｂ部材、Ｃ部材が組み合わされて治具本体が形成されている様子を表わした図である。
【００３４】
　Ａ部材は筒状を呈しており、かつ上端から下方にかけて側面に複数の切り込み２１が設けられた構造を有している。また、上端から下端にまで達する切れ目２２が設けられているのが好ましい。
　Ｂ部材はドーナツ状を呈しており、中ほどから下端にかけて内径が連続的に大きくなって傾斜部３１を形成している。
　Ｃ部材はドーナツ状を呈しており、上端から中ほどにかけて外径が連続的に大きくなって傾斜部４１を形成している。
【００３５】
　ここで、Ｂ部材の傾斜部３１とＣ部材の傾斜部４１とは、図１にみられるように、それらの間にＡ部材を挟んで固定できるように傾斜角度が同じまたはほぼ同じになるように形成されている。従って、ストレッチラベル装着治具はＡ部材をＢ部材とＣ部材の嵌め合いで固定するのが好ましい。また、この治具はＡ部材をＢ部材とＣ部材の一点以上で固定するようになっていてもよい。
【００３６】
　本発明の治具のうちＡ部材の外面はラベルに接し、及び上端が拡げられ内面が容器に接しながら移動したりするので、Ｂ部材及びＣ部材に比べて劣化しやすい。そこで、治具を分解することでＡ部材のみの交換が容易となる。
【００３７】
　本発明の治具においては、Ｃ部材の傾斜部３１の表面は、すりこぎ状になっているのが好ましい。こうすることによって、ラベル装着時に、Ａ部材がＣ部材へと強固に押し込まれて保持されるので、治具本体が使用時に分解してしまうといったことは皆無となる。
　この治具を用いることでラベル装着時のラベルの伸縮が５％以内となり、ラベルの伸縮力を損なうことがない。また、手作業によるラベルの装着と比べて作業効率が５倍以上となり、ラベル装着位置の誤差も少なくなる。
【００３８】
　また、図１においてＡ部材のＢ部材の上部にでている部分の高さが、ラベルの高さよりも低ければラベルの着脱がさらに容易となる。さらに、Ａ部材のＢ部材の上方にでている部分については、少なくともＡ部材の上端においてＢ部材側から上方に向って狭まっていることで、ストレッチラベルの治具への装填を容易かつスムーズに行なえる。
　特に、Ａ部材上端から下端に向って径が連続的に大きくなっていることが特に好ましい。
【００３９】
　Ａ部材はその一部に切り込み２１を有しているのが好ましく、これによりラベルを挿入しやすくなる。切り込みはラベルの状態にあわせて２〜６いれればよい。
　また、切り込みが、Ａ部材の高さ方向と平行であればラベル装着時のＡ部材の劣化を減らすことが出来る。
　また、切り込みのカール方向が、治具本体の中心方向に向かっていればラベル装着時のＡ部材の劣化をさらに減らすことが出来るとともに、治具に装填される際のラベルの損傷を防止できる。
　さらに、切り込みが、Ｂ部材内まで施されている、すなわち、Ａ部材をＢ部材とＣ部材とで固定した場合のＢ部材内にまで達しているのが好ましく、これによりラベル装着時のＡ部材の劣化をさらに減らすことが出来る。
【００４０】
　本発明においては、Ａ部材が伸縮性を有するものであればより好ましく、これによりラベル装着時のＡ部材の劣化をさらに減らすことが出来る。
　また、Ａ部材がＰＥＴでｔ＝１０〜２００μｍであればより好ましく、これによりラベル装着時のＡ部材の劣化をさらに減らすことが出来る。
【００４１】
　本発明においては、Ｂ部材の弾性がＡ部材の弾性より大きいことが好ましく、これによりラベル装着時のＡ部材の劣化をさらに減らすことが出来る。
　また、治具本体からＡ部材のＢ部材の上部にでている部分を除いた高さが、ラベル装着物のラベル装着位置と同等の高さであるのが好ましく、こうすることによりラベルの位置あわせが容易になる。
　また、Ａ部材の外面の滑性はラベルの内側の滑性よりも低いことが好ましく、これによりラベル装着がスムーズに行われる。シリコーンなどの滑剤を付与することで更に効果があがる。
【００４２】
　本発明においては、Ｃ部材の内部の滑性がボトル表面の滑性よりも高いことが好ましく、これによりラベル装着がさらにスムーズに行われる。シリコーンなどの滑剤を付与することで更に効果があがる。
　また、Ｃ部材の内周面に、凹凸が有ればラベル装着がスムーズに行われる。
　さらに、Ｃ部材が、摺動性が優れていれば装着がよりスムーズに行われる。
【００４３】
　本発明の治具を構成するＡ部材、Ｂ部材、Ｃ部材はプラスチック、金属などの材質を用いて作られるが、特にＡ部材はプラスチックで作られるのが好ましい。
　また、治具本体にカウンターをつければ、装着本数を自動的にカウントできるため作業進行を気にせずに作業に専念することが可能となり、作業効率を向上することが出来る。具体的には、Ｂ部材とＡ部材の下端の空間部にマイクロスイッチ等の自己復帰が可能な接点を設け、ラベルがＡ部材に装填されＡ部材の下端まで挿入する際、前記接点を押し下げることで電気的にカウントする手段を具備させるものである。
【００４４】
　次に、治具本体によるストレッチラベルの装着方法を説明する。
（１）最初に、図７に示すように、一方の手で治具（Ａ部材、Ｂ部材、Ｃ部材で構成された治具本体）を固定し、もう一方の手により治具の上のＡ部材を覆うようにストレッチラベル５をかぶせる。
（２）その後、図８に示すように、一方の手で治具を固定したままもう一方の手でＢ部材の接する程度の位置までストレッチラベル５を治具に固定する。
（３）その後、図９に示すように、一方の手でストレッチラベル５を動かないように押さえながら、もう一方の手でボトルをストレッチラベル５のかぶった治具をボトル６に挿入していく。
（４）その後、図１０に示すように、一方の手でボトル６の上部を動かないように押さえて、ボトル６の下までストレッチラベル５をかぶった治具をボトルの下部までさげていく。
　その時点でボトルでのストレッチラベルを装着しようとする所定の位置に来たら、ストレッチラベルを指などで押さえる。
（５）その後、図１１に示すように、図１０の状態から一方の手でストレッチラベル５をかぶった装着治具をそのまま下へさげボトルから抜いていく。
（６）この一連の操作により、ストレッチラベル５は治具から外れ、図１２に示したようにボトル６にはストレッチラベル５が装着する。
【００４５】
　本発明の装着治具を用いることでラベル装着時のラベルの伸縮力が５％以内となり、ラベルの伸縮力を損なうことがない。また、従来の手作業によるラベルの装着と比べて作業効率が５倍以上となり、ラベル装着位置の誤差も少なくなる。
　以上のラベル装着は手作業をもって説明しているが、機械的に行なってもよい。
【図面の簡単な説明】
【００４６】
【図１】本発明のラベル装着治具の組立図。
【図２】本発明の治具を構成するためのＡ部材の傾斜図。
【図３】本発明の治具を構成するためのＢ部材の傾斜図。
【図４】本発明の治具を構成するためのＣ部材の傾斜図。
【図５】ストレッチラベルの傾斜図。
【図６】容器の傾斜図。
【図７】ラベル装着治具によるラベルセットを説明するための図。
【図８】ラベル装着治具によるラベルセットを説明するための図。
【図９】ラベル装着治具によるラベルセットを説明するための図。
【図１０】ラベル装着治具によるラベルセットを説明するための図。
【図１１】ラベル装着治具によるラベルセットを説明するための図。
【図１２】容器にラベルが装着された図。
【符号の説明】
【００４７】
　　１　治具本体
　　５　ラベル
　　６　容器
　２１　切り込み
　２２　切れ目
　３１　Ｂ部材の傾斜部
　４１　Ｃ部材の傾斜部
【図１】
2004091051.tif 000003
【図２】
2004091051.tif 000004
【図３】
2004091051.tif 000005
【図４】
2004091051.tif 000006
【図５】
2004091051.tif 000007
【図６】
2004091051.tif 000008
【図７】
2004091051.tif 000009
【図８】
2004091051.tif 000010
【図９】
2004091051.tif 000011
【図１０】
2004091051.tif 000012
【図１１】
2004091051.tif 000013
【図１２】
2004091051.tif 000014